(57)【特許請求の範囲】
【請求項１】
再生プログラムにより画像の再生を行うための再生ウインドウを含む画面を表示可能な表示部と、
音声読み上げのための音声データを記憶する記憶部と、
前記記憶部に記憶された前記音声データを使用して、前記表示部に表示された画面から抽出された音声読み上げ可能な文字列の音声読み上げを行う音声出力部と、
制御部と、
を有し、
前記制御部は、前記再生ウインドウを含む画面を前記表示部に表示させている際に、前記音声出力部に当該画面内の文字列の音声読み上げを行わせる要求を取得した場合に、前記再生プログラムによる前記画像の再生を停止させ、前記再生ウインドウ内に所定の画像を表示させる
ことを特徴とする電子機器。
【請求項２】
前記制御部は、前記再生ウインドウを含む画面を前記表示部に表示させている際に、前記音声出力部に当該画面内の文字列の音声読み上げを行わせる要求を取得した場合に、前記再生プログラムによる前記画像の再生を停止させた後、当該画面の表示をスクロールさせる要求があるか否かを判定し、スクロールさせる要求があった場合に、前記再生ウインドウ内に前記所定の画像を表示させる
ことを特徴とする請求項１に記載の電子機器。
【請求項３】
前記制御部は、前記スクロールにより前記再生ウインドウが前記画面外にスクロールアウトするか否かを判定し、スクロールアウトする場合に前記再生ウインドウ内に前記所定の画像を表示させる
ことを特徴とする請求項２に記載の電子機器。
【請求項４】
再生プログラムにより画像の再生を行うための再生ウインドウを含む画面を表示可能であり、かつ当該画面内の文字列の音声読み上げが可能である電子機器の制御方法であって、
前記再生ウインドウを含む画面を表示部に表示させている際に、当該画面内の文字列の音声読み上げを行わせる要求を取得した場合に、
前記再生プログラムにより画像の再生が実行中であるか否かを判定する工程と、
前記工程において前記再生プログラムにより画像の再生が実行中であった場合に、当該再生プログラムによる画像の再生を停止させる工程と、
前記工程において画像の再生を停止された再生ウインドウ内に所定の画像を表示させる工程と、
を有することを特徴とする電子機器の制御方法。
【発明の詳細な説明】
【技術分野】
【０００１】
本発明は、再生プログラムにより画像や音声データの再生が可能であり、かつ音声読み上げ機能を有する電子機器及びその制御方法に関する。
【背景技術】
【０００２】
近年、携帯通信端末が高機能化しており、通話機能以外にも、カメラ機能や、音楽再生機能、動画再生機能、テレビ或いはラジオ番組視聴機能、ナビゲーション機能等を実行可能であるものが増えてきている。
特に、インターネット等のネットワークに接続して情報を入手し、表示するウェブブラウザ機能を有する携帯通信端末は一般化しており、携帯通信端末を対象としたウェブサービスが充実してきている。
【０００３】
ウェブサービスの１つとして、ウェブページ内に画像或いは音声を埋め込み、埋め込まれたページが閲覧された際に当該画像或いは音声を再生する手法がある。ウェブブラウザ機能は、埋め込まれた画像或いは音声データを再生するための機能を有していないため、再生プログラム（以下、プラグインプログラムとも称する）を使用して当該画像或いは音声データの再生を行う。
プラグインとは、メインのプログラムがサブルーチンを読み出して処理を進める際に、本来のサブルーチンを実行する代わりに、処理内容の詳細が異なるサブルーチン（例えば、外部のプログラムのサブルーチン）に差し替えて実行することである。換言すると、プラグインプログラムとは、メインのプログラムに追加されるプログラムを含むものである。以下では、ウェブブラウザプログラムの実行中に外部のプログラム、例えば画像や音声を読み込んで再生・表示を行うプログラムをサブルーチンで動作させ、ウェブブラウザ内に画像や音声を再生する機能をプラグイン再生と称する。
【０００４】
ところで、近年携帯通信端末に搭載されている機能として、音声読み上げ機能がある。音声読み上げ機能とは、例えば、メールの本文やウェブブラウザに表示された文字列等を、音声として再生する機能であり、読み上げるべき文字列を認識し、音声出力部等が音声として出力することにより実現される。
音声読み上げ機能については、例えば特許文献１に開示されている。
【特許文献１】特開２００６−２０１９７７号公報
【発明の開示】
【発明が解決しようとする課題】
【０００５】
特許文献１には、ウェブ情報から表示オブジェクトを抽出し、表示オブジェクトから抽出される携帯端末装置、およびその音声読み上げ方法、並びに音声読み上げプログラムが開示されている。
【０００６】
ここで、上述した特許文献１に開示された音声読み上げ機能を有する携帯通信端末において、プラグイン再生機能と、音声読み上げ機能とを、同一の処理チップ（例えば音声再生チップ等）で実行する場合がある。この場合、プラグイン再生を行うウインドウ（以下プラグイン再生ウインドウと称する）を有するウェブページを閲覧し、同時に当該ウェブページの音声読み上げを実行させようとすると、同一の処理チップでこれらを同時に処理することは出来ないため、どちらかの機能を停止させる必要が生じる。
【０００７】
例えばプラグイン再生中の画像データを含むウェブページの表示中に、当該ウェブページの音声読み上げが開始されるとする。この場合、音声読み上げ機能が優先される設定となっていた場合は、プラグイン再生により再生中の画像が停止されることになる。一般に、プラグイン再生機能が再生途中で停止した場合はプラグイン再生ウインドウ内に表示される画像は停止した瞬間のプラグイン再生用画像であり、その後、プラグイン再生が再開されるまで当該画像の更新はなされない。
【０００８】
ここで、プラグイン再生機能停止中のプラグイン再生ウインドウを含むウェブページをスクロールさせてプラグイン再生ウインドウを一度スクロールアウトさせ、再度プラグイン再生ウインドウを表示画面内にスクロールインさせた場合等に、プラグイン再生ウインドウ中の表示が乱れる現象が発生する。
【０００９】
図４は、一度スクロールアウトされたプラグイン再生機能停止中のプラグイン再生ウインドウが再度スクロールインした場合の表示の一例について説明するための図である。
図４（ａ）は、プラグイン再生ウインドウがスクロールアウトした状態を説明するための図である。図４（ａ）に示すように、ウェブページ画面２００内にプラグイン再生ウインドウ２０１が表示されている。図４（ａ）においては、プラグイン再生ウインドウ２０１は一部フレームアウトしている。
図４（ｂ）は、図４（ａ）に示した状態から、プラグイン再生ウインドウ２０１全体がウェブページ画面２００内に表示されるようにスクロールを行った結果を説明するための図である。図４（ｂ）においては、プラグイン再生ウインドウ２０１が完全にウェブページ画面２００内に表示されている。
【００１０】
ここで、図４（ａ）及び（ｂ）に示したプラグイン再生ウインドウ２０１には、プラグイン再生が停止された瞬間の画像が表示されているが、プラグイン再生機能による画像の更新はなされていない状況である。このため、プラグイン再生ウインドウ２０１内の図４（ａ）においてスクロールアウトしていた部分は、図４（ｂ）に示したプラグイン再生ウインドウ２０１内の斜線部分として再度スクロールインされた際に、表示されるべき画像データの情報が存在しない（プラグイン再生機能が停止しているため）ため、プラグイン再生ウインドウ中のスクロールアウトしていた部分のみが例えば白色に表示されてしまう等、本来表示されるべき画像が表示されない、といった不利益が生じる。
【００１１】
本発明は上記した不利益を解消するためになされたものであり、再生用の画像データを好適に表示する電子機器及びその制御方法を提供することを目的とする。
【課題を解決するための手段】
【００１２】
上記した課題を解決するために、第１の発明の電子機器は、再生プログラムにより画像の再生を行うための再生ウインドウを含む画面を表示可能な表示部と、音声読み上げのための音声データを記憶する記憶部と、前記記憶部に記憶された前記音声データを使用して、前記表示部に表示された画面から抽出された音声読み上げ可能な文字列の音声読み上げを行う音声出力部と、制御部と、を有し、前記制御部は、前記再生ウインドウを含む画面を前記表示部に表示させている際に、前記音声出力部に当該画面内の文字列の音声読み上げを行わせる要求を取得した場合に、前記再生プログラムによる前記画像の再生を停止させ、前記再生ウインドウ内に所定の画像を表示させる。
【００１３】
第２の発明の電子機器の制御方法は、再生プログラムにより画像の再生を行うための再生ウインドウを含む画面を表示可能であり、かつ当該画面内の文字列の音声読み上げが可能である電子機器の制御方法であって、前記再生ウインドウを含む画面を表示部に表示させている際に、当該画面内の文字列の音声読み上げを行わせる要求を取得した場合に、前記再生プログラムにより画像の再生が実行中であるか否かを判定する工程と、前記工程において前記再生プログラムにより画像の再生が実行中であった場合に、当該再生プログラムによる画像の再生を停止させる工程と、前記工程において画像の再生を停止された再生ウインドウ内に所定の画像を表示させる工程と、を有する。
【発明の効果】
【００１４】
本発明によれば、再生用の画像データを好適に表示する電子機器及びその制御方法を提供することができる。
【発明を実施するための最良の形態】
【００１５】
以下、本発明の電子機器の一例として、携帯端末１００について説明する。
本実施形態の携帯端末１００は、例えば携帯電話機である。
図１は、携帯端末１００の構成の一例を示す図である。
図１に示すように、携帯端末１００は、通信部１、記憶部２、表示部３、入力部４、音声出力部５、制御部６を有する。
【００１６】
通信部１は、図１に図示しない基地局等を介して、公衆ネットワークと通信を行い、データの送受信を行う無線通信ユニットである。通信部１が送受信を行うデータとしては、例えば、携帯端末１００の音声通話時の音声データや、ウェブブラウジング時のウェブページデータ等である。
記憶部２は、携帯端末１００の各種動作に必要なデータを記憶するメモリであり、例えば、ＳＲＡＭ（Static Random Access Memory）等により構成される。記憶部２に記憶されるデータは、例えば、携帯端末１００の各種動作を実行するためのプログラム、後述するウェブブラウジング時のプラグイン再生機能を実行するための本発明の再生プログラムとしてのプラグインプログラム、音声通話やメール送受信用のアドレス帳データ、後述する音声読み上げ機能の実行に必要な音声データ等である。
【００１７】
表示部３は、携帯端末１００の各種動作にかかわる表示を行うための表示デバイスであり、例えば液晶ディスプレイ（ＬＣＤ：Liquid Crystal Display）や有機ＥＬ（electro luminescence）パネル等により構成される。表示部３は、後述する表示制御部６１によって制御され、表示を行う。表示部３は、例えば音声発着信時の発着信画面、音声通話時の音声通話画面、ウェブブラウジング時のウェブブラウザ画面、メール作成画面やメール受信画面等である。
入力部４は、携帯端末１００に対する各種入力を受け付ける入力デバイスであり、例えば、十字キーやテンキー、タッチパネル等により構成される。
【００１８】
音声出力部５は、携帯端末１００の各種音声出力を行うための音声出力デバイスであり、例えば、音声出力用の音声データをＤ／Ａ（デジタル／アナログ）変換してアナログの音声信号を出力し、スピーカやヘッドホン・イヤホンを接続するための端子から出力する。音声出力部５は、後述する音声出力制御部６２の制御のもと音声出力を行う。
【００１９】
制御部６は、携帯端末１００の各種構成を統括的に制御するための制御デバイスであり、例えばＣＰＵ（Central Processing Unit）等により構成される。
制御部６は、表示制御部６１と音声出力制御部６２とをさらに有する。
表示制御部６１は、表示部３に表示を実行させるための制御を行うブロックである。
音声出力制御部６２は、音声出力部５に音声出力を実行させるための制御を行うブロックである。
制御部６は、携帯端末１００の各種構成を制御し、以下のような機能を実行可能である。すなわち、例えば、音声通話機能、メール送受信機能、ウェブブラウジング機能、音声読み上げ機能等である。
【００２０】
音声通話機能実行時には、制御部６は、図１に図示しない基地局に対する発信処理、或いは基地局からの着信処理を通信部１に実行させ、基地局との通信を確立し、図１に図示しないマイク等の音声入力デバイス等を介して取得した音声データに符号化等の処理を施して基地局に対して送信させる、或いは、通信部１が基地局から取得した音声データをデコードし、音声出力制御部６２が音声出力部５に再生・出力させる。
【００２１】
メール送受信機能実行時には、表示制御部６１がメール編集画面を表示部３に表示させて入力されたメールデータ（送信先アドレス、タイトル及び本文のテキストデータ、添付データ等を含む）を、制御部６が通信部１に送信させる。或いは、制御部６は通信部１を介してメールサーバからメールデータを取得し、表示制御部６１が表示部３に表示させる。
【００２２】
ウェブブラウジング機能実行時には、制御部６は、入力部４を介したユーザの入力等に応じて、ウェブブラウジング機能を実行する。この際、ウェブページ内にプラグイン再生用の画像・音声データが存在した場合、表示制御部６１が画像データをウェブページ上で再生させるためのウインドウを含むウェブページを表示部３に表示させると共に、音声出力制御部６２が音声データを音声出力部５に出力させる。なお、プラグイン再生用のデータは、本実施形態の携帯端末１００においては、当該プラグイン再生用データを含むウェブページデータが表示されたタイミングで再生が開始される。
【００２３】
音声読み上げ機能実行時には、制御部６は、入力された音声読み上げ用のテキスト（文字列）データを取得し、音声出力制御部６２が音声出力部５にテキストデータの読み上げを行わせる。音声読み上げ用の音声データは、例えば記憶部２に単語・熟語・或いは単音で予め記憶されている。制御部６は入力された文字列データを例えば品詞や文節ごとに区切り、区切られた品詞・文節に適合する音声データがあるか否かを検索し、適合する品詞・文節がある場合は、音声出力制御部６２が当該音声データを音声出力部５に再生・出力させ、適合する音声データがない場合は単音ごとの音声データを組み合わせて再生・出力させる。
音声読み上げ機能は、携帯端末１００の様々な機能の実行時に並列動作を行うことが可能である。すなわち、メール送受信機能実行中に、メールサーバから受信し、表示部３に表示されたメールの本文や送信元アドレス等を音声読み上げしたり、ウェブブラウジング機能実行中に表示部３に表示されたコンテンツの文字列部分、或いは例えばリンク先ＵＲＩ（Uniform Resource Identifier）、予めコンテンツ内の画像データ等に設定されたキャプション等のテキストデータ等を音声読み上げしたりすることが可能である。
【００２４】
特に、ウェブブラウジング中に音声読み上げ機能が実行される場合には、制御部６は通信部１がウェブサーバから取得したウェブページデータ内の音声読み上げ可能な文字列を抽出し、当該文字列を品詞・文節ごとに区切り、音声出力制御部６２が適合する音声データを音声出力部５に再生・出力させる。
なお、本実施形態の携帯端末１００においては、音声読み上げ機能は音声読み上げされる対象が表示部３に表示されてから所定時間（例えば１秒）経過後に音声読み上げ開始されるように予め設定されている。すなわち、例えばウェブブラウジング時の音声読み上げでは、ウェブページが表示部３に表示されてから例えば１秒後に、音声出力制御部６２は音声出力部５に音声読み上げを開始させる。
【００２５】
次に、制御部６がプラグイン再生用のデータを含むウェブページを表示するためのウェブブラウジング機能と、当該ウェブページの音声読み上げ機能を同時に実行する場合について説明する。
上述したように、本実施形態の携帯端末１００では、音声読み上げ機能は他の機能実行時にでも実行可能となっているため、プラグイン再生用のデータを含むウェブページの表示するためのウェブブラウジング機能と、当該ウェブページを音声読み上げ機能とを制御部６が同時に実行する場合も起こりうる。
このような場合、プラグイン再生用の画像・音声データの再生と音声読み上げとが音声出力部５に同時に要求されることになるが、同時に再生・出力を行うことは不可能であるため、本実施形態の携帯端末１００では、音声読み上げを優先して行う設定とする。従って、プラグイン再生用のデータを含むウェブページの表示中に、当該ウェブページの音声読み上げ機能が実行された場合には、再生中のプラグイン再生を停止し、音声読み上げ機能が優先して実行されることになる。
【００２６】
以下、プラグイン再生用のデータを含むウェブページの表示中に音声読み上げ機能が実行された場合の携帯端末１００の動作例について説明する。
図２は、プラグイン再生用のデータを含むウェブページの表示中に音声読み上げ機能が実行された場合の携帯端末１００の動作例を説明するためのフローチャートである。
ステップＳＴ１：
表示制御部６１は、音声読み上げ可能な文字列を含むウェブページを表示部３に表示させる。表示部３に表示させるウェブページが音声読み上げ可能な文字列を含むか否かの半段は、本実施形態では限定しないが、例えば、ウェブページデータ内の各文字列がどの言語（英語、日本語、ＨＴＭＬ言語、それ以外等）で書かれているかを判定し、英語或いは日本語等、音声読み上げ可能な言語で記述された文字列が存在した場合に、読み上げ可能な文字列が存在すると判定する。
ステップＳＴ２：
ユーザの入力部４を介した入力等に応じた、ステップＳＴ１において表示されたウェブページの音声読み上げ要求を制御部６が取得する。
【００２７】
ステップＳＴ３：
制御部６は、ステップＳＴ１において表示部３に表示されたウェブページ内のプラグイン再生用のデータが再生中であるか否かを判定する。プラグイン再生中であった場合にはステップＳＴ４に進み、プラグイン再生中でない場合はステップＳＴ６に進む。
ステップＳＴ４：
表示制御部６１は、プラグイン再生を停止させる。
【００２８】
ステップＳＴ５：
表示制御部６１は、ステップＳＴ４において再生停止されたプラグイン再生ウインドウ内に、所定の画像データを表示させる。
所定の画像データとは、本発明では特に限定しないが、例えば、ステップＳＴ４におけるプラグイン再生停止時のプラグイン再生用の画像データや、ステップＳＴ１において表示されたウェブページの背景色と同一の色でプラグイン再生ウインドウを塗り潰す背景画像、或いは白一色の画像等である。
ステップＳＴ６：
音声出力制御部６２は、記憶部２に記憶された音声読み上げ用の音声データを使用して、ウェブページ内の音声読み上げ可能な文字列を音声読み上げし、音声出力部５に出力させる。
【００２９】
ステップＳＴ７：
音声出力制御部６２は、ステップＳＴ６において開始された音声読み上げを終了させる。音声出力制御部６２が音声読み上げを終了させる条件は、例えば、ウェブページ内の音声読み上げ可能な全ての文字列の音声読み上げが終了した、或いは、ユーザによる入力部４を介した入力等により、音声読み上げの停止が要求される、等である。
ステップＳＴ８：
表示制御部６１は、ステップＳＴ７において音声読み上げ機能が終了したことを条件に、プラグイン再生機能を再開させ、ウェブページ内のプラグイン再生用のデータを再生する。
【００３０】
以上のようにして、本実施形態の携帯端末１００によれば、プラグイン再生用のデータ再生中に音声読み上げ機能の実行が要求された場合に、音声読み上げ機能が実行開始されてから終了するまでプラグイン再生を停止し、停止している間はプラグイン再生ウインドウ内に所定の画像を表示させる。表示制御部６１がプラグイン再生機能停止中にプラグイン再生ウインドウ内に表示させる所定の画像は、プラグイン再生機能によるものではないため、プラグイン再生機能停止中のプラグイン再生ウインドウのスクロールアウトやスクロールインの際に生じるプラグイン再生ウインドウ内の表示の乱れを防止することができる。
【００３１】
なお、図２において説明したフローチャートでは、音声読み上げ機能の実行が要求され、プラグイン再生機能が停止した際にプラグイン再生ウインドウ内に所定の画像を表示する例について説明したが、本発明はこれには限定されず、例えば以下のようにすることも可能である。
図３は、プラグイン再生用のデータを含むウェブページの表示中に音声読み上げ機能が実行された場合の携帯端末１００の他の動作例を説明するためのフローチャートである。
【００３２】
ステップＳＴ１１：
表示制御部６１は、音声読み上げ可能な文字列を含むウェブページを表示部３に表示させる。
ステップＳＴ１２：
ユーザの入力部４を介した入力等に応じた、ステップＳＴ１１において表示されたウェブページの音声読み上げ要求を制御部６が取得する。
【００３３】
ステップＳＴ１３：
制御部６は、ステップＳＴ１１において表示部３に表示されたウェブページ内のプラグイン再生用のデータが再生中であるか否かを判定する。プラグイン再生中であった場合にはステップＳＴ１４に進み、プラグイン再生中でない場合はステップＳＴ１８に進む。
ステップＳＴ１４：
表示制御部６１は、プラグイン再生を停止させる。
【００３４】
ステップＳＴ１５：
制御部６は、ユーザにより入力部４等を介して表示部３に表示されたウェブページ画面のスクロール動作が要求されたか否かを判定する。スクロール動作が要求された場合はステップＳＴ１６に進み、要求されなかった場合はステップＳＴ１７に進む。
ステップＳＴ１６：
表示制御部６１は、ステップＳＴ１５において要求されたスクロール動作により、プラグイン再生ウインドウがウェブページ画面の外にスクロールアウトしたか否かを判定する。プラグイン再生ウインドウがウェブページ画面の外にスクロールアウトした場合にはステップＳＴ１７に進み、スクロールアウトしなかった場合はステップＳＴ１８に進む。
【００３５】
ステップＳＴ１７：
表示制御部６１は、プラグイン再生ウインドウ内に、所定の画像データを表示させる。
ステップＳＴ１８：
音声出力制御部６２は、記憶部２に記憶された音声読み上げ用の音声データを使用して、ウェブページ内の音声読み上げ可能な文字列を音声読み上げし、音声出力部５に出力させる。
【００３６】
ステップＳＴ１９：
音声出力制御部６２は、ステップＳＴ１８において開始された音声読み上げを終了させる。
ステップＳＴ２０：
表示制御部６１は、ステップＳＴ１９において音声読み上げ機能が終了したことを条件に、プラグイン再生機能を再開させ、ウェブページ内のプラグイン再生用のデータを再生する。
【００３７】
図３において説明した本実施形態の携帯端末１００の動作例によれば、プラグイン再生ウインドウがスクロールアウトしたか否かを判定して、スクロールアウトした場合にのみプラグイン再生ウインドウ内に所定の画像を表示させるので、プラグイン再生ウインドウがスクロールアウトしない場合にはプラグイン再生ウインドウ内の表示を保つことができるようになる。
【００３８】
以上説明したように、本実施形態の携帯端末１００によれば、プラグイン再生用のデータ再生中に音声読み上げ機能の実行が要求された場合に、表示制御部６１は音声読み上げ機能が実行開始されてから終了するまでプラグイン再生を停止し、停止している間はプラグイン再生ウインドウ内に所定の画像を表示させる。表示制御部６１がプラグイン再生機能停止中にプラグイン再生ウインドウ内に表示させる所定の画像は、プラグイン再生機能によるものではないため、プラグイン再生機能停止中のプラグイン再生ウインドウのスクロールアウトやスクロールインの際に生じるプラグイン再生ウインドウ内の表示の乱れを防止することができる。
【００３９】
また、本実施形態の携帯端末１００によれば、プラグイン再生ウインドウがスクロールアウトしたか否かを判定して、スクロールアウトした場合にのみプラグイン再生ウインドウ内に所定の画像を表示させることも可能であるので、プラグイン再生ウインドウがスクロールアウトしない場合にはプラグイン再生ウインドウ内の表示を保つことができ、プラグイン再生ウインドウ内の画像が変化してしまうことによるユーザの違和感を最小限に抑えることができる。
【００４０】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４１】
上述した実施形態では、プラグイン再生用のデータを含むウェブページ表示時に音声読み上げ機能がオンであった場合に、音声読み上げ中はプラグイン再生を停止する例について説明したが、本発明はこれには限定されない。プラグイン再生用のデータを含み、かつ音声読み上げの対象となる文字列を含むデータが表示される場合でも、本発明は適用可能である。すなわち、例えば、メール送受信機能において、受信したメールにプラグイン再生用のデータが含まれている際に、音声読み上げ機能がオンであった場合、音声読み上げ機能によってメール内の音声読み上げ対象となる文字列の音声読み上げが終了するまでプラグイン再生を停止するようにしてもよい。
【００４２】
また、上述した実施形態では、本発明の電子機器の一例として携帯端末１００について説明したが、本発明はこれには限定されない。すなわち、本発明の電子機器は、携帯電話機等の携帯端末以外でも、プラグイン再生用のデータを含むコンテンツデータを再生可能な機能と、当該コンテンツデータの文字列部分を音声読み上げすることが可能な音声読み上げ機能を有する全ての電子機器に適用が可能である。すなわちデスクトップ型のＰＣ（Personal Computer）等にも適用が可能することができる。
【図面の簡単な説明】
【００４３】
【図１】図１は、本実施形態の携帯端末の構成の一例を示す図である。
【図２】図２は、本実施形態の携帯端末における、ウェブブラウジング機能起動時の動作例を示すフローチャートである。
【図３】図３は、本実施形態の携帯端末における、ウェブブラウジング機能起動時の他の動作例を示すフローチャートである。
【図４】図４は、一度スクロールアウトされたプラグイン再生機能停止中のプラグイン再生ウインドウが再度スクロールインした場合の表示の一例について説明するための図である。
【符号の説明】
【００４４】
１００…携帯端末、１…通信部、２…記憶部、３…表示部、４…入力部、５…音声出力部、６…制御部、６１…表示制御部、６２…音声出力制御部
【図１】
0004823977.tif 000002
【図２】
0004823977.tif 000003
【図３】
0004823977.tif 000004
【図４】
0004823977.tif 000005